(57)【要約】【課題】  既設管内に更生管を引き込むに際し、更生管の先端から脱落したり、既設管の曲がり箇所において更生管が引っ掛かってしまうといったことを回避できる更生管引き込み用治具を提供する。【解決手段】  熱可塑性樹脂製の更生管１の先端部に装着される先端栓２に、更生管１の内部に挿入される略筒状の挿入部２Ａを設け、この挿入部２Ａの外周面の複数箇所に溝２３，２３を設けておき、締め付けバンドＢ，Ｂを利用して、この溝２３，２３に嵌り込むように更生管１を変形させる。これにより、更生管引き込み作業の途中で更生管１の先端から先端栓２が脱落してしまうことが防止できる。また、更生管１の先端部が折れ曲がってしまうことが阻止され、これによって更生管１が既設管内で引っ掛かって引き込みが不能になるといった事態が抑制される。【選択図】      図２
2006242343.tif 000002
【特許請求の範囲】
【請求項１】
既設管の内面を熱可塑性樹脂製の更生管によってライニングする既設管更生方法において更生管を既設管内に引き込む際に使用する更生管引き込み用治具であって、
上記更生管の内部に挿入される略筒状の挿入部と、この挿入部が更生管の内部に挿入された状態において更生管の先端側に位置する先端部とを備えており、
上記挿入部は、その軸心方向の複数箇所に外周溝が形成され、締め付け用帯体によってこの外周溝の形成位置で更生管を内周側に締め込んで装着するようになっている一方、上記先端部には既設管内へ向けての引き込み力を更生管に作用させるための牽引材が連結される牽引材連結部が設けられていることを特徴とする更生管引き込み用治具。
【請求項２】
上記請求項１記載の更生管引き込み用治具において、
牽引材連結部は、牽引材が取り外された後に、更生管の内部に加熱媒体を導入するための加熱媒体導入管が接続可能となっており、この加熱媒体導入管から更生管の内部に加熱媒体を導入することによって更生管を軟化可能にしていることを特徴とする更生管引き込み用治具。
【請求項３】
上記請求項１または２記載の更生管引き込み用治具において、
更生管によってライニングされる既設管は埋設本管に接続された埋設取付管であって、更生管を、埋設本管を経て埋設取付管内に挿入する際に更生管の先端部に締結されることを特徴とする更生管引き込み用治具。
【発明の詳細な説明】
【技術分野】
【０００１】
本発明は、地中に埋設された既設管の内面を樹脂製更生管によってライニングすることにより既設管を更生するに際し、この更生管を既設管内に引き込む際に使用する更生管引き込み用治具に係る。特に、本発明は、更生管引き込み作業を容易にするための対策に関する。
【背景技術】
【０００２】
地中には下水用等の各種管路が埋設されている。この管路は、一般に、マンホール間を連通する本管と、この本管に接続された複数本の取付管（枝管）とから構成されている。取付管は、通常、地表付近に設けられた桝と地中の本管とを連通するように設けられるが、本管やマンホールとは異なり、管径が小さく簡易的に構成されている。そのため、取付管の老朽化に伴ってその内面に破損や亀裂が生じることが多い。また、施工当初は堅固に取り付けられていた本管と取付管との接続箇所（以下、この箇所を取付管口という）が、地盤変動などの影響により弛んでしまうこともある。そして、その破損箇所、亀裂箇所、接続箇所から雨水や湧き水などの土中水が管路内に流入すると、本管内の水量が許容水量を超えてしまうおそれがある。また、本管においても、長期間の使用に伴う老朽化によって内面に破損や亀裂が生じることがあり、この場合にも土中水が管路内に流入して本管内の水量が許容水量を超えてしまうおそれがある。
【０００３】
そこで、これまで例えば下記の特許文献１のようなライニング方法が提案されている。この特許文献１に開示されているライニング方法は取付管及び取付管口を更生するものであって、熱可塑性樹脂製の更生管を桝側から取付管内に挿入し、その先端部分を本管内まで引き込んだ後に（更生管挿入工程）、更生管の内部を加熱及び加圧して更生管を拡径させて取付管の内周面に密着させる（更生管拡径工程）。その後、本管内において更生管の先端部分を切断して、この切断端部分を取付管口の周縁に向かって押し広げてフランジ状の鍔返し部を成形し、これによって本管と取付管との接続箇所の止水性を確保するようにしている。
【０００４】
また、上記更生管挿入工程において更生管を取付管内に挿入するための構成について説明すると、図１２に示すように、断面円形状の熱可塑性樹脂から成る更生管ａの先端部を引込栓ｃによって絞り込むように閉止し、この引込栓ｃに牽引用のワイヤｄを連結する。そして、このワイヤｄを本管及びマンホールを通じてウィンチで引張することにより、更生管ａを取付管内に引き込んでいた。尚、本管を更生する場合においても同様に、更生管の先端部を引込栓によって絞り込むように閉止し、この引込栓に牽引用のワイヤを連結し、このワイヤを引張して更生管を本管内に引き込んでいた。
【特許文献１】特開２００３−１５９７５０号公報
【発明の開示】
【発明が解決しようとする課題】
【０００５】
しかしながら、従来の更生管挿入工程においては、更生管に対する引込栓の締結力が十分に得られず、更生管引き込み作業の途中で更生管先端から引込栓が脱落して引き込み作業が中断してしまうといった事態を招くことが多く、この引込栓の脱落を確実に防止できる構成については未だ提案されていなかった。
【０００６】
また、既設管に曲がり箇所が多い場合に、従来の引込栓を使用した更生管引き込み作業では、この既設管の曲がり箇所において、更生管の絞り込み部分（引込栓に装着するための絞り込み部分）が折れ曲がってしまって更生管が引っ掛かり、引き込みが不能になると
いった事態を招くこともあった。特に、更生管を本管側から取付管に挿入するようにした場合には、この本管から取付管へ向けて引き込み方向が大きく変化（例えば引き込み方向が９０°変化）する場合が多く、この部分で更生管が引っ掛かってしまうといった事態を招くことが多かった。
【０００７】
本発明は、かかる点に鑑みてなされたものであり、その目的とするところは、既設管内に更生管を引き込むに際し、更生管の先端から脱落したり、既設管の曲がり箇所において更生管が引っ掛かってしまうといったことを回避できる更生管引き込み用治具を提供することにある。
【課題を解決するための手段】
【０００８】
上記の目的を達成するために講じられた本発明の解決手段は、既設管の内面を熱可塑性樹脂製の更生管によってライニングする既設管更生方法において更生管を既設管内に引き込む際に使用する更生管引き込み用治具を前提とする。この更生管引き込み用治具に対し、上記更生管の内部に挿入される略筒状の挿入部と、この挿入部が更生管の内部に挿入された状態において更生管の先端側に位置する先端部とを備えさせる。そして、上記挿入部の軸心方向の複数箇所に外周溝を形成し、締め付け用帯体によってこの外周溝の形成位置で更生管を内周側に締め込んで装着する一方、上記先端部に、既設管内へ向けての引き込み力を更生管に作用させるための牽引材が連結される牽引材連結部を設けている。
【０００９】
この特定事項により、更生管を既設管内に引き込む際には、先ず、更生管の先端部内に更生管引き込み用治具の挿入部を挿入し、更生管の外周側から各外周溝に向けて締め付け用帯体による締結を行う。これにより、更生管は各外周溝内に嵌り込むように変形し、更生管の先端部に更生管引き込み用治具が強固に取り付けられることになる。このため、更生管引き込み作業の途中で更生管の先端から更生管引き込み用治具が脱落してしまうことが防止できる。また、この状態で、更生管引き込み用治具の先端部に牽引材を連結し、この牽引材を引張することによって更生管を既設管内に引き込んでいく。この引き込み作業において、既設管に曲がり箇所が多い場合であっても、更生管の先端部の内部には更生管引き込み用治具の挿入部が挿入されているため、更生管の先端部が折れ曲がってしまうことは阻止され、これによって更生管が既設管内で引っ掛かって引き込みが不能になるといった事態は抑制されることになる。
【００１０】
また、更生管引き込み用治具の付加的な機能としては以下のものが掲げられる。つまり、牽引材連結部を、牽引材が取り外された後に、更生管の内部に加熱媒体を導入するための加熱媒体導入管が接続可能な構成としておき、この加熱媒体導入管から更生管の内部に加熱媒体を導入することによって更生管を軟化可能にしている。
【００１１】
これにより、更生管を既設管内に引き込む際には牽引材連結部に牽引材を連結して行い、その後に、更生管を既設管内面に向けて拡径させる際には、牽引材連結部に加熱媒体導入管を接続し、この加熱媒体導入管から更生管の内部に加熱媒体を導入することによって行うことになる。このため、牽引材の連結部と加熱媒体導入管の接続部とを牽引材連結部が兼用することになり、更生管引き込み用治具の構成の簡素化を図ることができる。
【００１２】
上述した各解決手段に係る更生管引き込み用治具を使用した更生管の引き込み方式として具体的には、更生管を、埋設本管を経て埋設取付管内に挿入するものであって、この場合に更生管の先端部に更生管引き込み用治具が締結される。
【発明の効果】
【００１３】
本発明では、更生管を既設管内に引き込む際に使用する更生管引き込み用治具に、更生管の内部に挿入される略筒状の挿入部を設け、この挿入部の外周面の複数箇所に溝を設け
ておき、締め付け用帯体を利用して、この溝に嵌り込むように更生管を変形させている。このため、更生管引き込み作業の途中で更生管の先端から更生管引き込み用治具が脱落してしまうことが防止でき、更生管引き込み作業を安定して行うことができる。また、更生管の先端部の内部には上記挿入部が挿入されているため、更生管の先端部が折れ曲がってしまうことが阻止され、これによって更生管が既設管内で引っ掛かって引き込みが不能になるといった事態は抑制され、更生管引き込み作業を容易に行うことができる。
【発明を実施するための最良の形態】
【００１４】
以下、本発明の実施の形態を図面に基づいて説明する。本実施形態では更生管を本管側から取付管に挿入して、この取付管の内面をライニングする更生方法に本発明を適用した場合について説明する。尚、本発明は、この更生方法に限らず、更生管を桝側から取付管に挿入して更生する方法や、本管を更生する方法に対しても適用可能である。
【００１５】
−更生管の説明−
先ず、本実施形態に係る更生方法に使用する更生管について説明する。図１は、本実施形態において使用される更生管１の一部を破断した側面図である。この図１に示すように、更生管１は、ポリ塩化ビニルや高密度ポリエチレン等の熱可塑性樹脂が円筒体状に成形されて成っており、取付管に挿入される前の状態では、その断面形状が取付管の内径よりも小径の略楕円形に形成されている。また、この更生管１は、所定の形状記憶温度（例えば８０℃）に加熱及び加圧されることによって円筒状態に形状回復する性能を有している。尚、この更生管１の先端部は先端栓（更生管引き込み用治具）２によって閉止され、この先端栓２に牽引用ワイヤ（牽引材）２１が連結されている。つまり、更生管１は、この牽引用ワイヤ２１によって牽引されて地中の既設管（埋設本管及び埋設取付管）内に亘って挿入されていくようになっている。
【００１６】
図２（ａ）は先端栓２の正面図（更生管１に装着された状態で更生管１の軸線に沿った方向から見た図）であり、図２（ｂ）は先端栓２の側面図である。これら図に示すように、先端栓２は、略円筒形状であって更生管１の先端内部に挿入される挿入部２Ａと、この挿入部２Ａの軸心方向の一端側（図２（ｂ）における右端側）に一体形成された円盤状の先端部２Ｂとを備えている。
【００１７】
上記挿入部２Ａには、その軸心方向の複数箇所（本実施形態では２箇所）に、金属製の締め付けバンドＢ，Ｂによる更生管１の締め付け箇所となる外周溝２３，２３がその全周に亘って形成されている。つまり、図２（ｂ）に仮想線で示すように、挿入部２Ａが更生管１の先端内部に挿入された状態で、外周溝２３，２３の外側から締め付けバンドＢ，Ｂによる締結を行う。これにより、更生管１は各外周溝２３，２３内に嵌り込むように変形し、更生管１の先端部に先端栓２が強固に取り付けられることになる。このため、更生管引き込み作業の途中で更生管１の先端から先端栓２が脱落してしまうことが防止できる。
【００１８】
一方、先端部２Ｂは、外径寸法が挿入部２Ａの外径寸法よりも僅かに大きく設定されており、その中心部に上記牽引用ワイヤ２１を連結するための連結部（牽引材連結部）２２が設けられている。この連結部２２は先端部２Ｂの中心部に形成された貫通孔で成っており、その内周面に雌ネジが形成されている。そして、牽引用ワイヤ２１が連結される際には、図２（ｂ）に仮想線で示すように、連結部２２の内部に、牽引用ワイヤ２１が締結された連結具２１ａ（先端部に雄ネジが形成されている）がねじ込まれることによって先端栓２に牽引用ワイヤ２１が連結されることになる。
【００１９】
また、この連結部２２は蒸気ホース３１（図１０参照）が接続されるホース接続部として兼用されており、この蒸気ホース３１が接続される際には上記連結具２１ａが取り外され、連結部２２の内周面に形成された雌ネジを利用してこの蒸気ホース３１が接続される
（蒸気ホース３１の先端に設けられた金具がねじ込まれる）ようになっている。つまり、後述する更生管挿入工程時には、この連結部２２に牽引用ワイヤ２１が接続される（図１に示す状態となる）一方、更生管拡径工程に移る際には、この連結部２２に蒸気ホース３１が繋ぎ換えられ、更生管１内部に水蒸気の導入が可能な状態となる（図１０参照）。
【００２０】
また、この先端部２Ｂには、上記連結部２２に接続された蒸気ホース３１から水蒸気が導入される際の過剰の水蒸気やドレン水を管外に排出するための排気チューブをそれぞれ挿通するためのチューブ用開口２４が形成されている。
【００２１】
更に、この先端部２Ｂには、後述する後端栓３から延びる後端栓用ワイヤ３３を挿通するための比較的小径のワイヤ用開口２６が形成されている（この後端栓用ワイヤ３３については後述する）。
【００２２】
また、この先端部２Ｂには、更生管１の先端を桝６１側まで引き上げた後に、この更生管１の先端を吊り下げ支持するためのアイボルトが装着されるボルト孔２７，２７が形成されている。
【００２３】
本実施形態に係る更生管１の特徴の一つとして、その後端部（先端栓２によって閉止される側とは反対側）に拡径部１１が予め設けられている。この拡径部１１は、更生管１の後端側に向かって次第に径が大きくなる形状とされ、更生管１の一端縁がこの形状に成形された一体成形によるものであってもよいし、予め末広がり形状に成形された別部品としての樹脂成形品が更生管１の後端縁に融着等の手段によって一体的に取り付けられたものであってもよい。
【００２４】
そして、この更生管１の後端側の開口は、後端栓（以下、第１後端栓と呼ぶ）３によって閉止されるようになっている。つまり、更生管１の先端側（引き込み方向の下流側）の開口は上記先端栓２によって閉止されている一方、後端側はこの第１後端栓３によって閉止されており、これによって、更生管１の内部が略気密状態とされた状態で取付管に向けて引き込まれるようになっている。
【００２５】
上記第１後端栓３には、蒸気ホース（加熱媒体導入管）３１が接続されるホース接続部（図示省略）が設けられていると共に、排気チューブ３２が挿通される比較的小径の開口３Ｄが形成されている（図３参照）。また、蒸気ホース３１は地上に設置された蒸気発生加熱機４２（図５参照）に接続されている。このため、蒸気発生加熱機４２を駆動することによって任意のタイミングで更生管１の内部に向けて水蒸気が導入可能となっている。また、更生管１内での過剰の水蒸気やドレン水は排気チューブ３２によって管外に排出されるようになっている。
【００２６】
上記第１後端栓３の具体的な形状としては、図３にも示すように、中実の円錐台形状の挿入部３Ａと、この挿入部３Ａの底部に一体的に形成された円盤状の平板部３Ｂとを備えている。上記挿入部３Ａの形状は、上記更生管１の拡径部１１の内側空間の形状に略一致している。また、平板部３Ｂは、その外径寸法が更生管１の拡径部１１の外径寸法よりも大きく設定されている（図１参照）。このため、第１後端栓３が更生管１の後端部に装着されている状態では、挿入部３Ａが更生管１の拡径部１１の内部に挿入される一方、平板部３Ｂが更生管１の拡径部１１の後端縁に当接した状態となって、この更生管１の後端側は第１後端栓３によって閉止される。尚、この第１後端栓３の材質としては、上記更生管１を構成している材料よりも軟化点の高いゴムや合成樹脂等が掲げられる。
【００２７】
また、この第１後端栓３の先端（上記挿入部３Ａの先端面）には後端栓用ワイヤ３３が接続されている。具体的には、挿入部３Ａの先端面に後端栓用ワイヤ３３の着脱を可能に
する接続金具３４が取り付けられており、後端栓用ワイヤ３３の端部がこの接続金具３４に接続されている。そして、この後端栓用ワイヤ３３が上記先端栓２のワイヤ用開口２６に挿通されることによって、この後端栓用ワイヤ３３が更生管１の先端側に引き出されている。
【００２８】
更に、第１後端栓３の軸心部分には貫通孔３Ｃが形成されており、この貫通孔３Ｃに蒸気ホース３１が接続されている。このため、蒸気ホース３１から水蒸気が供給されると、この水蒸気は貫通孔３Ｃを経て更生管１の内部に導入されるようになっている。尚、この貫通孔３Ｃと平行に上記排気チューブ３２を挿通するための上記開口３Ｄも貫通形成されている。
【００２９】
このようにして、更生作業が行われる前段階での更生管１は、先端部が先端栓２によって、後端部が第１後端栓３によってそれぞれ閉止されていると共に、先端からは牽引用ワイヤ２１及び後端栓用ワイヤ３３がそれぞれ延びており、後端からは蒸気ホース３１及び排気チューブ３２がそれぞれ延びている。また、更生管１の内部では、上記後端栓用ワイヤ３３が第１後端栓３から先端栓２に亘って通過していると共に、上記排気チューブ３２の先端が開放されている。
【００３０】
また、本形態では、図４に示すように、もう一つの後端栓（以下、第２後端栓と呼ぶ）７が用意されている。この第２後端栓７は、ライニング作業の途中で上記第１後端栓３と入れ換えられるものである。この第２後端栓７は中実の円錐台形状に形成されており、その大きさは、上記第１後端栓３の挿入部３Ａと同様に、上記更生管１の拡径部１１の内側空間の形状に略一致している。このため、第２後端栓７が更生管１の後端部に装着されている状態では、更生管１の拡径部１１の内部に挿入されることになって、この更生管１の後端側は第２後端栓７によって閉止される。尚、この第２後端栓７の材質としても、上記更生管１を構成している材料よりも軟化点の高いゴムや合成樹脂等が掲げられる。
【００３１】
また、この第２後端栓７の先端面には上記後端栓用ワイヤ３３が接続可能な接続金具７１が取り付けられている。つまり、後述する後端栓入れ換え工程にあっては、上記第１後端栓３の先端面に接続されていた後端栓用ワイヤ３３を第２後端栓７の先端面に繋ぎ換えるようになっている。一方、この第２後端栓７の後端面にはライニング作業完了後に第２後端栓７を回収するための回収用ワイヤ７２が接続されている。つまり、ライニング作業完了後には、この回収用ワイヤ７２を引張することによって第２後端栓７を地上に回収できるようになっている。尚、上記第１後端栓３には貫通孔３Ｃ及び開口３Ｄが貫通形成されていたが、この第２後端栓７にあってはこれらは設けられていない。
【００３２】
−ライニング作業の説明−
次に、上記更生管１を使用したライニング作業について説明する。このライニング作業は、取付管６内面の高圧水洗浄及びテレビカメラによる管内調査が行われた後に実行される。また、このライニング作業は、更生管挿入工程、後端栓入れ換え工程、取付管口止水工程、更生管拡径工程からなる。更に、このライニング作業は、本管５の内面が同様の更生管によってライニングされた後に行われる場合もあるし、本管５をライニングすることなしに行う場合もある。ここでは、説明を簡単にするために後者の場合について説明する。
【００３３】
＜更生管挿入工程＞
更生管挿入工程においては、所定長さの更生管１をマンホール４側の地上に準備しておく一方、桝６１側には牽引用ワイヤ２１を引張するためのウィンチ６２を設置しておく（図５参照）。
【００３４】
詳しく説明すると、マンホール４側の地上に準備される更生管１の長さ寸法としては、更生しようとする取付管６の長さに対して僅かに長く（５００ｍｍ程度長く）設定されている。
【００３５】
一方、桝６１の上部には複数本の金属パイプによって組み立てられた矢倉６４が設置されており、この矢倉６４の上部に、牽引用ワイヤ２１が巻き掛けられる滑車６４ａが吊り下げ状態で取り付けられている。つまり、牽引用ワイヤ２１はこの滑車６４ａを経てウィンチ６２により引張されるようになっている。この構成により、桝６１側では滑車６４ａの取り付け高さ位置まで更生管１を引き上げることができるようになっている。
【００３６】
牽引用ワイヤ２１をマンホール４から桝６１に亘って引き込むための作業としては、例えば、カーボンファイバ製の通線材の先端に牽引用ワイヤ２１及び後端栓用ワイヤ３３を取り付けておき、この通線材を桝６１からマンホール４に亘って牽引用ワイヤ２１及び後端栓用ワイヤ３３と共に挿通する。そして、この牽引用ワイヤ２１の先端を更生管１の先端栓２に連結し、後端栓用ワイヤ３３を、先端栓２及び更生管１を通過させて第１後端栓３の接続金具３４に接続する。その後、通線材のみを桝６１側から回収する。この状態で第１後端栓３を更生管１の後端部に装着することにより図５に示す状態となる。また、上記通線材を利用してマンホール４から桝６１に向けて牽引用ワイヤ２１や後端栓用ワイヤ３３を引き込んで図５に示す状態としてもよい。
【００３７】
このように各装置を設置した状態で、更生管１の内部に蒸気発生加熱機４２より水蒸気を導入して予熱し、これによって、更生管１に可撓性が得られるようにしておく。そして、この更生管１をマンホール４内に送り出しながら、先端栓２に連結した牽引用ワイヤ２１を、本管５、取付管６、桝６１及び滑車６４ａを経てウィンチ６２で引張する。このとき、後端栓用ワイヤ３３も牽引用ワイヤ２１と共に引張し、第１後端栓３が更生管１の後端側の開口から抜け落ちないようにしている。この後端栓用ワイヤ３３の引張も上記ウィンチ６２で行うようにしてもよいし、図示しない他のウィンチによって行うようにしてもよい。
【００３８】
そして、本管５から取付管６に亘って更生管１を挿入していく途中で更生管１の温度が低くなって可撓性が低下した場合、更生管１を取付管６内の所定位置まで引き込むことが困難になる。特に、本管５内に水が存在している場合には更生管１の温度が急激に低くなってしまうためこの現象は顕著である。
【００３９】
このような状況において、本実施形態では、上記蒸気発生加熱機４２を駆動し、この蒸気発生加熱機４２で発生した水蒸気を、蒸気ホース３１を経て更生管１の内部に導入する。これにより更生管１は再び高温（例えば８０℃）となって可撓性を有する状態となり、本管５内から取付管６内に亘って円滑に挿入されていく。この挿入工程は、更生管１の拡径部１１が取付管口６３の外縁部に当接するまで行われる（図６参照）。
【００４０】
このようにして更生管１の引き込みが行われる際、上述した如く、更生管１の先端部は先端栓２の各外周溝２３，２３内に嵌り込むように変形し（図２（ｂ）参照）、更生管１の先端部に先端栓２が強固に取り付けられている。このため、更生管引き込み作業の途中で更生管１の先端から先端栓２が脱落してしまうことはない。
【００４１】
また、この引き込み作業において、既設管に曲がり箇所が多い場合であっても、更生管１の先端部の内部には先端栓２の挿入部２Ａが挿入されているため、更生管１の先端部が折れ曲がってしまうことは阻止されることになり、これによって更生管１が既設管内（特に本管５と取付管６との接続部分である取付管口６３付近）で引っ掛かってしまうことがなく、引き込みを容易に行うことができる。
【００４２】
＜後端栓入れ換え工程＞
上記更生管挿入工程によって、図６に示すように更生管１の拡径部１１が取付管口６３の外縁部に当接する位置まで取付管６内に更生管１が引き込まれた後、後端栓入れ換え工程が行われる。この後端栓入れ換え工程は、更生管１の後端部に装着されている第１後端栓３を第２後端栓７に入れ換える工程である。
【００４３】
先ず、図７に示すように、マンホール４側から蒸気ホース３１を引張して、第１後端栓３を更生管１の後端部から離脱させてマンホール４側から回収する。この回収時には、第１後端栓３がマンホール４側に移動するのに伴って後端栓用ワイヤ３３及び排気チューブ３２もマンホール４側に移動していく。
【００４４】
このようにして回収された第１後端栓３から後端栓用ワイヤ３３を取り外し、予め用意しておいた第２後端栓７の接続金具７１に後端栓用ワイヤ３３の先端を接続する。この作業はマンホール４内またはこのマンホール４上の地上で行われる。
【００４５】
その後、図８に示すように後端栓用ワイヤ３３を桝６１側から引張することにより、第２後端栓７は取付管口６３に向けて本管５内を移動していき、この取付管口６３に達した際に、図９に示すように、更生管１の後端部、つまり拡径部１１の内部に嵌め込まれる。これにより、再び、更生管１の内部は略気密状態とされる。また、この拡径部１１の内部に第２後端栓７が嵌め込まれることにより、この取付管口６３周辺部での更生管１の形状が安定的に維持される。
【００４６】
＜取付管口止水工程・更生管拡径工程＞
本形態では、取付管口止水工程と更生管拡径工程とが略同時に行われる。以下、この工程について説明する。上記更生管挿入工程によって、図６に示すように更生管１の拡径部１１が取付管口６３の外縁部に当接する位置まで取付管６内に更生管１が引き込まれ、且つ後端栓入れ換え工程によって第１後端栓３が第２後端栓７に入れ換えられた後（図９参照）、図１０に示すように先端栓２に設けられている連結部２２から牽引用ワイヤ２１が取り外され、蒸気ホース３１が接続される。この蒸気ホース３１は蒸気発生加熱機４２に接続されており、この蒸気発生加熱機４２の駆動によって更生管１の内部にその先端側から水蒸気が吹き込み可能となる。また、この際、先端栓２のボルト孔２７，２７にはアイボルトを装着し、このアイボルトにワイヤを取り付けて上記矢倉６４に更生管１の先端を吊り下げ支持するようにしている。
【００４７】
また、更生管１内への水蒸気の吹き込みに先立って、本管５内における取付管口６３の近傍位置にはパッカ８を搬入しておく。このパッカ８は、ゴム製で内部が密閉された袋体によって構成されている。詳しくは、このパッカ８は、内部に圧力流体（例えば空気）が導入されていない状態では、本管５の内径寸法よりも小径の円筒形状を有している。更に、このパッカ８にはエア導入管８１が接続されており、このエア導入管８１から空気を導入することによって本管５の内径寸法程度またはそれ以上の径まで拡径するようになっている。このパッカ８内部への空気の導入は、地上に設置され且つエア導入管８１が接続されたエアポンプ（図示省略）により行われる。また、このパッカ８を本管５の内部に引き込むための構成としては、パッカ８の側面（上記エア導入管８１が接続されている面とは反対側の面）に牽引用のワイヤ８２が接続されており、このワイヤ８２の一端をマンホール側（取付管６よりも下流側（図１０における右側）のマンホール側）に引き出しておいて、このワイヤ８２を引張ることにより行われる。
【００４８】
この状態で取付管口止水工程及び更生管拡径工程が開始されると、先ず、蒸気ホース３１からの水蒸気の吹き込みによって更生管１が加熱されて、更生管１及び拡径部１１は軟
化する。このとき、上述した如く更生管１の後端側は第２後端栓７によって閉止されているので、水蒸気の漏れは殆どなく、更生管１全体が効率良く加熱されていく。尚、第２後端栓７の周囲から若干の水蒸気の漏れが生じている場合、この水蒸気によって拡径部１１の軟化は促進されることになる。
【００４９】
その後、上記エアポンプを駆動してエア導入管８１からパッカ８内に空気を導入し、パッカ８を拡張させる。これにより、図１１に示すように、パッカ８の外周面が更生管１の拡径部１１を取付管口６３の周縁に向けて押圧し、この拡径部１１をフランジ形状に塑性変形させて取付管口６３の周縁に密着させる。この際、更生管１は蒸気発生加熱機４２からの水蒸気によって加熱されて可撓性を有しており、拡径部１１は容易にフランジ形状に塑性変形されて取付管口６３の周縁に密着する。また、この拡径部１１の外周面（取付管口６３の周縁に密着する箇所）には予めブチルゴム等の粘着性を有する材料が塗布されている。このため、この塑性変形によってフランジ形状となった拡径部１１は取付管口６３の周縁に接着することになり、この部分の止水性が良好に得られることになる。
【００５０】
その後、蒸気ホース３１から高圧の空気が更生管１内に導入されて更生管１が拡径される。これにより、更生管１は、外径が拡大していき取付管６の内面に密着する。また、上記高圧空気の導入に伴って更生管１は冷却され、この取付管６の内面に密着した状態で更生管１が硬化してこの形状が保持される。これにより、取付管６の内面がライニングされる。この場合の更生管１内の過剰の水蒸気やドレン水は、先端栓２から更生管１内部に挿入された排気チューブ３２を利用して管外に排出される。
【００５１】
その後、桝６１内に存在する余剰の更生管１を先端栓２と共に切除し、この切断縁の仕上げ加工を行う。また、パッカ８からエアを抜いてパッカ８を地上に回収し、第２後端栓７を回収用ワイヤ７２を引張することによってマンホール４側に引き抜いて回収し、更に、上記矢倉６４を撤去することによって本ライニング作業が完了する。
【００５２】
以上のように、本実施形態では、更生管１の挿入工程において、更生管１の温度が低下してその可撓性が得られなくなった場合であっても、この更生管１の内部に蒸気ホース３１を経て水蒸気を導入することができるため、この挿入途中に更生管１に再び可撓性を得ることができ、取付管６内の所定位置まで更生管１を引き込むことが可能になる。その結果、更生管１の拡径部１１を取付管口６３まで引き込むことが可能になり、この拡径部１１による取付管口６３周辺の止水構造を良好に得ることが可能になる。
【００５３】
−その他の実施例−
以上説明した実施形態では、更生管１に可撓性を得るための加熱媒体として水蒸気を使用していた。本発明はこれに限らず、熱風等の気体を使用してもよい。
【００５４】
また、上述した実施形態では、本管５の軸線に対して約６０°の傾斜角度をもって接続された取付管６を更生する場合について説明した。本発明はこれに限らず、本管５の軸線に対して約９０°の角度をもって接続された取付管６など、種々の接続角度を有する取付管６の更生方法として適用可能である。
【００５５】
また、上記第１後端栓３の挿入部３Ａ及び第２後端栓７の形状としては円錐台形状としたが、これに限らず半球体状など種々の形状が採用可能である。
【００５６】
更に、上記第１及び第２の後端栓３、７としては、内部にエア等の流体を導入することによって外径が可変とされる部材（所謂パッカ部材）で構成してもよい。この場合、後端栓３、７を更生管１に装着している時には後端栓３、７の内部に流体を導入して拡径させておき、上記後端栓入れ換え工程時には、後端栓３、７から流体を抜いて縮径させるよう
にする。
【００５７】
また、先端栓２の挿入部に２Ａに形成する外周溝２３としては２箇所に限らず３箇所以上に形成し、それぞれに締め付けバンドを適用するようにしてもよい。
【図面の簡単な説明】
【００５８】
【図１】実施形態に係る更生管の一部を破断した側面図である。
【図２】（ａ）は先端栓の正面図、（ｂ）は先端栓の側面図である。
【図３】第１後端栓の側面図である。
【図４】第２後端栓の側面図である。
【図５】更生管挿入工程を説明するための地中管路の断面図である。
【図６】更生管挿入工程完了後の状態を示す地中管路の断面図である。
【図７】後端栓入れ換え工程において第１後端栓の離脱動作を説明するための取付管口周辺を示す断面図である。
【図８】後端栓入れ換え工程において第２後端栓の装着動作を説明するための取付管口周辺を示す断面図である。
【図９】後端栓入れ換え工程完了後の取付管口周辺を示す断面図である。
【図１０】取付管口止水工程及び更生管拡径工程を説明するための地中管路の断面図である。
【図１１】取付管口止水工程及び更生管拡径工程を説明するための取付管口周辺を示す断面図である。
【図１２】従来例における更生管の引き込み動作を説明するための図である。
【符号の説明】
【００５９】
１        更生管
２        先端栓（更生管引き込み用治具）
２Ａ      挿入部
２Ｂ      先端部
２１      牽引用ワイヤ（牽引材）
２２      連結部（牽引材連結部）
２３      外周溝
３１      蒸気ホース（加熱媒体導入管）
５        埋設本管（既設管）
６        埋設取付管（既設管）
【図１】
2006242343.tif 000003
【図２】
2006242343.tif 000004
【図３】
2006242343.tif 000005
【図４】
2006242343.tif 000006
【図５】
2006242343.tif 000007
【図６】
2006242343.tif 000008
【図７】
2006242343.tif 000009
【図８】
2006242343.tif 000010
【図９】
2006242343.tif 000011
【図１０】
2006242343.tif 000012
【図１１】
2006242343.tif 000013
【図１２】
2006242343.tif 000014